(57)【要約】【課題】転写ずれ及び画像縮みの発生を抑制することが可能な画像形成装置を提供すること。【解決手段】トナー画像を紙に転写するための転写ニップ部１９と、転写のタイミングに合わせて、転写ニップ部１９に紙を送り出すレジストローラ対１５と、レジストローラ対１５によって形成されるレジストニップ部１８から転写ニップ部１９まで紙を搬送するために設けられた転写搬送路２０と、転写搬送路２０の下側を形成する下ガイド２１と、転写搬送路２０の上側に設けられた上ガイド２２と、下ガイド２１の最も上方に位置する部分２１ａとレジストローラ対１５との間の転写搬送路２０に設けられ、レジストローラ対１５から送り出された厚紙４０を下方に付勢する後端ハネ防止部材２３とを備え、後端ハネ防止部材２３は、レジストローラ対１５から送り出された厚紙４０による下方からの力に応じて上方に後退可能である、プリンタである。【選択図】図６（ｃ）
2010107636.tif 000002
【特許請求の範囲】
【請求項１】
記録媒体に現像剤画像を形成するための画像形成装置であって、
像担持体上に形成された前記現像剤画像を前記記録媒体に転写するための転写ニップ部と、
前記転写のタイミングに合わせて、前記転写ニップ部に前記記録媒体を送り出すレジストローラ対と、
前記レジストローラ対によって形成されるレジストニップ部から前記転写ニップ部まで前記記録媒体を搬送するために設けられた転写搬送路と、
前記転写搬送路の下側を形成する下ガイドと、
前記転写搬送路の上側を形成する上ガイドと、
前記下ガイドの最も上方に位置する部分と前記レジストローラ対との間の前記転写搬送路に設けられ、前記レジストローラ対から送り出された前記記録媒体を下方に付勢する付勢部とを備え、
前記下ガイドの最も上方に位置する部分は、前記レジストニップ部と前記転写ニップ部よりも上方に配置されており、
前記付勢部は、前記レジストローラ対から送り出された前記記録媒体による下方からの力に応じて上方に後退可能である、画像形成装置。
【請求項２】
前記転写搬送路の上方に設けられた回転軸と、
前記回転軸に回動可能に吊架された、前記記録媒体に当接する前記付勢部を有する回動部材とを備えた、請求項１記載の画像形成装置。
【請求項３】
前記付勢部は、前記回転軸と前記レジストローラ対の間に設けられ、
前記回転軸と前記レジストローラ対の間に設けられ、前記付勢部が最下点まで回動しないように所定位置で前記回動部材の下方向への回動を阻止する阻止部材を備え、
前記記録媒体が通過していない状態では、前記回動部材は前記阻止部材により係止されている、請求項２記載の画像形成装置。
【請求項４】
一端が前記転写搬送路の上方の所定位置に固定され、他端が前記付勢部に固定された弾性部材を備え、
前記弾性部材の弾性力によって、前記記録媒体を下方へ付勢する、請求項１記載の画像形成装置。
【請求項５】
前記付勢部は、
前記記録媒体が通過していない状態では、前記下ガイドの最も上方に位置する部分と前記レジストニップ部を結ぶ線よりも下方に配置されている、請求項１記載の画像形成装置。
【請求項６】
前記付勢部は、導電性部材によって形成されている、請求項１記載の画像形成装置。
【発明の詳細な説明】
【技術分野】
【０００１】
本発明は、画像形成装置に関する。
【背景技術】
【０００２】
複写機、プリンタ、及びファクシミリ等の画像形成装置では、給紙カセットに収納されている紙が、転写ニップ部に搬送されて、トナー画像が転写される。続いて、紙が定着ユニットに搬送され、転写されたトナー画像の紙への定着が行われる。そして、最後にトナー画像の形成された紙は、装置外へと排出される。
【０００３】
この転写の際、転写ニップ部の上流側に設けられたレジストローラ対によって、給紙カセットから搬送された紙は停止され、斜行が矯正される。停止された紙は、転写のタイミングに合わせてレジストローラ対のニップ部から送り出される。
【０００４】
トナー画像が形成される紙として、コシの弱い大判の紙を用いた場合、搬送途中で波打ちやすいため、転写不良が発生しやすい。そこで、図１４に示すような構成が提案されている。
【０００５】
図１４は、画像形成装置のレジストローラ対と転写ニップ部の間の構成の一例を示す図である。図１４に示すように、感光体ドラム１００１と転写ローラ１００２によって転写ニップ部１００３が形成されている。その転写ニップ部１００３の上流側には、レジストローラ１００４、１００５によってレジストニップ部１００６が形成されている。このレジストニップ部１００６から転写ニップ部１００３まで紙１０００を搬送する搬送路１００９は、上ガイド１００７と下ガイド１００８によって構成されている。この下ガイド１００８は、最上部１００８ａを最も高い位置として、レジストニップ部１００６側と転写ニップ部１００３側に傾斜して形成されており、最上部１００８ａは、レジストニップ部１００６及び転写ニップ部１００３よりも高くなっている。
【０００６】
このように構成することにより、搬送時に紙１０００が湾曲され、コシがなく波打ちやすい大判の薄い紙を用いた場合でも、波打ちを減少させ、良好な転写を行うことが可能となる。
【０００７】
ところが、図１４に示す構成の画像形成装置に、普通紙や厚紙を通過させた場合、レジストニップ部１００６から紙の後端が排出されると、後端が紙のコシによって上方へ跳ね上がり、上ガイド１００７に衝突し、その衝突によって転写ずれが発生することがあった。
【０００８】
このような転写ずれを防止する構成として、レジストニップ部１００６の出口に後端ハネ防止部材が設けられた構成の画像形成装置が提案されている（例えば、特許文献１参照。）。
【０００９】
図１５に示すように、特許文献１に記載の画像形成装置では、レジストニップ部１００６の出口近傍の上ガイド１００７に後端ハネ防止部材１０１０が設けられている。この後端ハネ防止部材１０１０によって紙の後端の跳ね上がりが防止され、転写ずれを抑制することが出来る。
【特許文献１】特開平１０−２３２５６７号公報
【発明の開示】
【発明が解決しようとする課題】
【００１０】
上記構成において、転写ずれの発生をより抑制するためには、後端の跳ね上がりを低減する必要があり、レジストニップ部１００６に対して可能な限り下方の位置で紙に当接するように、後端ハネ防止部材１０１０を設置することが望ましい。
【００１１】
しかしながら、下方の位置で紙に当接するように後端ハネ防止部材１０１０を設置すると、厚紙等のコシの強い紙を用いた場合、紙と後端ハネ防止部材との摩擦によって紙の搬送速度が低下し、画像が縮むという問題が発生することがあった。
【００１２】
本発明は、上記従来の画像形成装置の課題を考慮して、転写ずれ及び画像縮みの発生を抑制することが可能な画像形成装置を提供することを目的とする。
【課題を解決するための手段】
【００１３】
上記目的を達成するために、第１の本発明は、
記録媒体に現像剤画像を形成するための画像形成装置であって、
像担持体上に形成された前記現像剤画像を前記記録媒体に転写するための転写ニップ部と、
前記転写のタイミングに合わせて、前記転写ニップ部に前記記録媒体を送り出すレジストローラ対と、
前記レジストローラ対によって形成されるレジストニップ部から前記転写ニップ部まで前記記録媒体を搬送するために設けられた転写搬送路と、
前記転写搬送路の下側を形成する下ガイドと、
前記転写搬送路の上側を形成する上ガイドと、
前記下ガイドの最も上方に位置する部分と前記レジストローラ対との間の前記転写搬送路に設けられ、前記レジストローラ対から送り出された前記記録媒体を下方に付勢する付勢部とを備え、
前記下ガイドの最も上方に位置する部分は、前記レジストニップ部と前記転写ニップ部よりも上方に配置されており、
前記付勢部は、前記レジストローラ対から送り出された前記記録媒体による下方からの力に応じて上方に後退可能である、画像形成装置である。
【００１４】
又、第２の本発明は、
前記転写搬送路の上方に設けられた回転軸と、
前記回転軸に回動可能に吊架された、前記記録媒体に当接する前記付勢部を有する回動部材とを備えた、第１の本発明の画像形成装置である。
【００１５】
又、第３の本発明は、
前記付勢部は、前記回転軸と前記レジストローラ対の間に設けられ、
前記回転軸と前記レジストローラ対の間に設けられ、前記付勢部が最下点まで回動しないように所定位置で前記回動部材の下方向への回動を阻止する阻止部材を備え、
前記記録媒体が通過していない状態では、前記回動部材は前記阻止部材により係止されている、第２の本発明の画像形成装置である。
【００１６】
又、第４の本発明は、
一端が前記転写搬送路の上方の所定位置に固定され、他端が前記付勢部に固定された弾性部材を備え、
前記弾性部材の弾性力によって、前記記録媒体を下方へ付勢する、第１の本発明の画像形成装置である。
【００１７】
又、第５の本発明は、
前記付勢部は、
前記記録媒体が通過していない状態では、前記下ガイドの最も上方に位置する部分と前記レジストニップ部を結ぶ線よりも下方に配置されている、第１の本発明の画像形成装置である。
【００１８】
又、第６の本発明は、
前記付勢部は、導電性部材によって形成されている、第１の本発明の画像形成装置である。
【発明の効果】
【００１９】
本発明によれば、転写ずれ及び画像縮みの発生を抑制することが可能な画像形成装置を提供することが出来る。
【発明を実施するための最良の形態】
【００２０】
以下に、本発明にかかる画像形成装置の一例としてのプリンタについて図面を用いて説明する。
【００２１】
（実施の形態１）
はじめに、本発明にかかる実施の形態１のプリンタの全体構成について説明する。
【００２２】
図１は、本発明の実施の形態１におけるプリンタ１の側面構成図である。
【００２３】
図１に示すように、本実施の形態のプリンタ１はモノクロ用のプリンタであり、トナー画像を形成するための紙を収納する給紙カセット２が装置本体の下側に設けられており、更に、給紙カセット２の上側にも給紙カセット３が設けられている。また、装置正面１ａには、手差しトレイ４が設けられている。
【００２４】
また、給紙カセット３の上方には、本発明の像担持体の一例である感光体ドラム５が設けられており、その周囲には、感光体ドラム５の表面を帯電する帯電ユニット６と、帯電された表面を露光することにより静電潜像を形成する露光ユニット７と、静電潜像を現像し、トナー画像を形成する現像ユニット８と、トナー画像を紙に転写する転写ローラ９と、転写後に表面に残存しているトナーを取り除くためのクリーニングユニット１０が、順に設けられている。尚、現像ユニット８について、感光体ドラム５に対向して配置されている現像ローラ８ａが図示されている。
【００２５】
また、転写されたトナー画像を紙に定着するための定着ユニット１１が設けられており、トナー画像が定着された紙が排出される排出トレー１２が、装置の上面に形成されている。
【００２６】
また、上述した給紙カセット２、３から装置正面１ａに沿って上方へと向かい、折り返して転写ローラ９と感光体ドラム５の間及び定着ユニット１１を通過して装置背面１ｂ側へと向かい、装置背面１ｂに沿って上方へ向かい、排出トレー１２まで紙を搬送するための搬送路１３が形成されている（実線矢印にて図示。）。
【００２７】
この紙の搬送方向を基準として、転写ローラ９の下流側には、紙を一旦停止することによって、紙の斜行を矯正し、転写のタイミングに合わせて紙を排出するレジストローラ対１５が設けられている。
【００２８】
また、搬送方向を基準として、定着ユニット１１の下流近傍（図中Ｏ部参照）で搬送路１３から分岐し、搬送路１３の下側を通り、レジストローラ対１５の上流側（図中Ｐ部参照）で搬送路１３に合流する両面搬送路１４が設けられている（点線矢印にて図示）。この両面搬送路１４は、紙の両面印刷を行う場合に、再度転写ローラ９へと紙を導くための搬送路である。
【００２９】
図２は、レジストローラ対１５から転写ローラ９までの拡大構成図である。図２に示すように、レジストローラ対１５を構成する２つのレジストローラ１６、１７によってレジストニップ部１８が形成されている。又、感光体ドラム５と転写ローラ９によって、転写ニップ部１９が形成されている。このレジストニップ部１８と転写ニップ部１９の間の搬送路１３を転写搬送路２０とする。この転写搬送路２０の下側には、転写搬送路２０を形成する下ガイド２１が設けられており、上側には上ガイド２２が設けられている。
【００３０】
また、下ガイド２１には、レジストニップ部１８から転写ニップ部１９に向かって、除々に高くなるように傾斜が形成されており、この傾斜の上端が、下ガイド２１の最も高い最上部２１ａとなっている。
【００３１】
この最上部２１ａは、転写ニップ部１９及びレジストニップ部１８よりも上方であり、最上部２１ａ、転写ニップ部１９、レジストニップ部１８の順に低くなっている。尚、下ガイド２１の最上部２１ａから下流側は、下方に位置する転写ニップ部１９に向かって傾斜及び階段状に形成されている。
【００３２】
また、本実施の形態では、上ガイド２２は、現像ユニット８の下面によって構成されている。これら下ガイド２１及び上ガイド２２から構成されている転写搬送路２０には、レジストニップ部１８から送り出された紙の後端が上方へ跳ね上がることを抑制するための後端ハネ防止部材２３が設けられている。
【００３３】
図３は、本実施の形態の現像ユニット８の斜視図である。図３に示すように、上ガイド２２の一部は、現像ユニット８の下面に垂直に形成されているガイド板２４の下端によって構成されている。また、後端ハネ防止部材２３は、転写搬送路２０の幅方向に渡って現像ユニット８の下面に設けられている。尚、図３中、紙の搬送方向が矢印Ａで示されている。
【００３４】
図４は、後端ハネ防止部材２３の外観図である。図４に示すように、後端ハネ防止部材２３は、薄い金属板を折り曲げて形成されたガイド部２５と、ガイド部２５の長手方向の両端であって、搬送方向Ａの下流側に設けられた軸受け部２６とから構成されている。この軸受け部２６には、貫通孔２６ａが形成されており、後述する回転軸が挿入されている。又、ガイド部２５は、軸受け部２６が設けられている部分から上流側に向かって下方に傾斜する下流側傾斜部２７と、下流側傾斜部２７の上流端から上流側に向かって上方に傾斜する上流側傾斜部２８と、上流側傾斜部２８の上流端から上方に向かった後、下流方向に湾曲している湾曲部２９とから構成されている。この湾曲部２９の下流方向に向かう部分が、後述する阻止部材３２に当接する当接部２９ａを構成する。
【００３５】
図５（ａ）は、現像ユニット８の下面近傍のみを上方から見た模式図であり、後端ハネ防止部材２３を取り除いた状態を示す図である。尚、図５（ａ）では、ガイド板２４と、複数のガイド板２４の両端に設けられた、現像ユニット８のフレームの一部である現像ユニットフレーム部３０が示されている（図３中、現像ユニットフレーム部３０は、斜線で示されている。）。又、図５（ａ）において、ガイド板２４の数は省略している。
【００３６】
図５（ａ）に示すように、両端の現像ユニットフレーム部３０の内側には、回転軸３１と、後端ハネ防止部材２３の回動を阻止するための円柱形の阻止部材３２が設けられている。この阻止部材３２は、回転軸３１よりも上流側に設けられている。尚、回動の阻止について、詳しくは後述する。
【００３７】
図５（ｂ）は、図５（ａ）に後端ハネ防止部材２３を取り付けた状態を示す模式図である。図５（ｂ）に示すように、貫通孔２６ａに回転軸３１が挿入され、当接部２９ａが阻止部材３２の上方に載置されて、阻止部材３２に係止されるように、後端ハネ防止部材２３は、現像ユニット８に取り付けられている。
【００３８】
尚、図２に示すように、現像ユニット８に後端ハネ防止部材２３が取り付けられた状態において、上流側傾斜部２８と下流側傾斜部２７の間の角部分が最も低い位置となり、後述するように紙に当接し、紙を下方に付勢する付勢部３３を構成する。この付勢部３３は、レジストニップ部１８と最上部２１ａを結ぶ線（二点鎖線Ｌ参照）よりも下方に位置している。
【００３９】
又、本発明の下ガイドの最も上方に位置する部分の一例は、最上部２１ａに相当し、本発明の回動部材の一例は、本実施の形態の後端ハネ防止部材２３に相当する。また、本実施の形態の付勢部３３は、本発明の回転軸とレジストローラ対の間に設けられている付勢部の一例に相当する。
【００４０】
以上のような構成の本実施の形態１のプリンタ１の動作について説明する。
【００４１】
はじめに、画像形成の際の動作の概要について図１を参照して説明する。
【００４２】
パーソナルコンピュータ等から画像データがプリンタ１に送信されると、帯電ユニット６によって一様に帯電された感光体ドラム５の表面が、画像データに基づいて露光ユニット７によって露光され、静電潜像が形成される。この静電潜像が、現像ユニット８から供給される本発明の現像剤の一例であるトナーによって現像され、トナー画像が形成される。
【００４３】
同時に、給紙カセット２、３又は手差しトレイ４から紙が供給され、レジストニップ部１８で一旦停止される。そして、感光体ドラム５の回転に合わせて、紙がレジストニップ部１８から転写ニップ部１９へと送り込まれる。この転写ニップ部１９で、トナー画像が紙に転写された後、定着ユニット１１において、転写されたトナー画像が紙に定着され、排出トレー１２に排出される。
【００４４】
次に、コシの強い厚紙４０に画像形成を行う場合において、レジストニップ部１８から転写ニップ部１９へと厚紙が搬送される状態について説明する。
【００４５】
図６（ａ）は、レジストローラ対１５から、本発明の記録媒体の一例に相当する厚紙４０を送り出した状態を示す断面模式図である。厚紙４０がレジストニップ部１８から送り出されると、厚紙４０の先端４０ａは、最上部２１ａより上流側の下ガイド２１の斜面に当接し、下ガイド２１に沿って上方へと移動する。この移動によって、図６（ｂ）に示すように、後端ハネ防止部材２３の付勢部３３に厚紙４０が下方から当接する。
【００４６】
さらに、厚紙４０が移動すると、先端４０ａが転写ニップ部１９へと送り込まれる。ここで、図６（ｂ）〜図６（ｃ）に示すように、厚紙４０は、コシが強いため、後端ハネ防止部材２３を上方へ押し上げ、後端ハネ防止部材２３は回転軸３１を中心に上方へ回動する（図中矢印Ｂ参照）。
【００４７】
続いて、厚紙４０が更に搬送されると、図６（ｄ）に示すように、後端４０ｂがレジストニップ部１８から送り出される。ここで、厚紙４０は後端ハネ防止部材２３の重さによって下方に付勢されているため、後端４０ｂの上方へのハネが抑制されることになる。
【００４８】
更に、厚紙４０が搬送され、後端４０ｂが後端ハネ防止部材２３を通過すると、図６（ｄ）〜図６（ｅ）に示すように、後端ハネ防止部材２３は自重により下方（矢印Ｃ参照）に回動し、当接部２８ａが阻止部材３２に当接して、その回動が阻止される。
【００４９】
このように、本実施の形態のプリンタ１では、厚紙４０を通紙する時には、厚紙のコシにより、後端ハネ防止部材２３が上方に回動する構成となっているため、摩擦抵抗を低減し、画像縮みを抑制することが可能となる。一方、後端ハネ防止部材２３によって厚紙４０の後端４０ｂの跳ね上がりも低減されるため、転写ずれも抑制される。
【００５０】
尚、厚紙でなく普通紙を搬送する場合には、図７に示すように、普通紙は、厚紙４０ほどコシが強くないため、紙４１は後端ハネ防止部材２３を持ち上げることが出来ないが、厚紙ほどコシがつよくないため、厚紙４０ほど後端ハネ防止部材２３との摩擦力が大きくならず、画像縮みが発生し難い。また、後端ハネ防止部材２３によって、紙４１が下方に押さえ込まれているため、後端の跳ね上がりも低減され、転写ずれも抑制される。
【００５１】
以上のように、本実施の形態のプリンタでは、紙のコシの強さにかかわらず、転写ずれ及び画像縮みの発生を抑制することが可能となる。尚、本実施の形態では、例えば２２０ｇ／ｍ２程度までの厚みの紙を用いることが出来る。
【００５２】
尚、図６（ｄ）に示す当接部２８ａが阻止部材３２に当接している状態が、本発明の記録媒体が通過していない場合、回動部材は阻止部材により係止されていることの一例に相当する。尚、阻止部材３２が形成されていない場合には、後端ハネ防止部材２３は自重によって図６（ｅ）よりも下方に回動するため、付勢部３３もさらに下方まで回動し自然に停止することになる。このさらに下方に回動し停止した位置が、本発明の付勢部の最下点の一例に相当する。
【００５３】
又、本実施の形態では、後端ハネ防止部材２３の付勢部３３が直線Ｌよりも下方に配置されているが、上方に配置されていてもよい。ただし、上方に配置しすぎると、レジストニップ部１８から排出された後端のハネが大きくなり、転写ずれが発生する場合があるため、転写ずれが発生しない程度の位置にする必要がある。
【００５４】
又、本実施の形態では、図２に示すように、付勢部３３が回転軸５３とレジストローラ対１５の間に設けられているが、回転軸５３と下ガイド２１の最上部２１ａとの間に設けられていても良い。このような構成としては、後端ハネ防止部材２３を、本実施の形態とは上流側と下流側が逆になるように配置した構成が挙げられる。
【００５５】
（実施の形態２）
次に、本発明にかかる実施の形態２におけるプリンタについて説明する。尚、本実施の形態２のプリンタは、実施の形態１と基本的な構成は同じであるが、後端ハネ防止部材の形状が異なり、阻止部材３２が設けられていない点が主に異なっている。そのため、本相違点を中心に説明する。
【００５６】
図８は、本実施の形態２のプリンタの後端ハネ防止部材５０の斜視図である。又、図９は、本実施の形態２のプリンタの転写搬送路２０近傍の側面構成図である。
【００５７】
図８及び図９に示すように、金属性の後端ハネ防止部材５０は、回転軸が挿入される三角形状の軸受け部５１と、軸受け部５１と垂直に、その三角形の一辺に設けられた平面部５２とを有している。また、現像ユニットフレーム部３０には、実施の形態１と異なり、回転軸５３のみが設けられている。この回転軸５３が、軸受け部５１に形成されている貫通孔５１ａに挿入されて、後端ハネ防止部材５０は現像ユニット８に取り付けられている。また、後端ハネ防止部材５０が取り付けられた状態で、平面部５２の下端部が、搬送される紙に当接し、下方に付勢する付勢部５４を構成する。また、図９に示すように、付勢部５４は、レジストニップ部１８よりも下方に配置されている。尚、本実施の形態２では、実施の形態１の阻止部材３２が設けられていないため、実施の形態１と異なり、途中で停止されず、後端ハネ防止部材５０の自重による回動によって図９に示すように付勢部５４は最下点まで下がっている。又、本発明の回動部材の一例は、本実施の形態の後端ハネ防止部材５０に相当する。
【００５８】
このような構成において、厚紙４０がレジストニップ部１８から送り出されると、図９に示すように、厚紙４０の先端４０ａが平面部５２に当接する。そして、さらに厚紙４０を送り出すと、厚紙４０のコシによって、後端ハネ防止部材５０が回転軸５３を中心として矢印Ｄ方向に回動し、図１０に示すように、厚紙４０の上面に付勢部５４が当接した状態となる。
【００５９】
ここで、後端ハネ防止部材５０は、その自重によって下方（矢印Ｄと反対方向）に回動しようとするため、厚紙４０は、搬送中下方に付勢されている。このような状態で、厚紙４０が送り出されて、後端４０ｂがレジストニップ部１８から送り出されても、厚紙４０が下方に付勢されているため、上方へのはねあがりが低減され、転写ずれの発生が抑制される。また、厚紙の搬送の際、後端ハネ防止部材５０は上方へ回動するため、摩擦力が低減され、画像縮みも抑制される。
【００６０】
尚、実施の形態１と同様に、普通紙が搬送される場合には、後端ハネ防止部材５０は自重により上方に回動されないが、摩擦力が大きくないため画像縮みが発生し難く、更に後端ハネ防止部材５０により後端の跳ね上がりも低減され、転写ずれも抑制される。
【００６１】
以上のように、本実施の形態のプリンタでは、紙のコシの強さにかかわらず、転写ずれ及び画像縮みの発生を抑制することが可能となる。
【００６２】
又、上記実施の形態１、２の後端ハネ防止部材２３、５０は、厚紙でない普通紙を用いた場合、後端ハネ防止部材２３、５０が自重により上方に回動しない重さに構成されているが、普通紙を用いた場合にも回動又は移動する程度の重さであってもよい。但し、厚紙４０を搬送したときに後端４０ｂの上方への跳ね上がりを抑えることが可能な程度の重さは必要である。
【００６３】
（実施の形態３）
次に、本発明にかかる実施の形態３におけるプリンタについて説明する。尚、本実施の形態３のプリンタは、実施の形態１と基本的な構成は同じであるが、厚紙の後端の上方へのハネを防止する構成が異なっている。そのため、本相違点を中心に説明する。
【００６４】
図１１は、本実施の形態３のプリンタの転写搬送路２０近傍の側面構成図である。図１１に示すように、側面から見てＶ字状の金属性の後端ハネ防止部材６０が、転写搬送路２０に設けられており、後端ハネ防止部材６０は、バネ部材６１によって支持されている。図１２は、本実施の形態３の後端ハネ防止部材６０及びバネ部材６１の斜視図である。この後端ハネ防止部材６０の上面の長手方向両端には、バネ部材６１の下端が固定されている。また、２つのバネ部材６１の上端は、図１１に示すように、現像ユニットフレーム部３０に形成されている突起６２に固定されている。
【００６５】
また、Ｖ字形状の後端ハネ防止部材６０の下端部が、紙に当接し、下方へ付勢する付勢部６３を構成している。この付勢部６３は、レジストニップ部１８と下ガイド２１の最上部２１ａを結ぶ線よりも下方に配置されている。この線Ｌは、図１１中、二点鎖線で示されている。尚、本発明の弾性部材の一例は、本実施の形態のバネ部材６１に相当する。又、本発明の転写搬送路の上方の所定位置の一例は、本実施の形態の突起６２に相当する。
【００６６】
このような構成の本実施の形態３のプリンタの転写搬送路２０を厚紙４０が通過する状態について、図１１及び図１３（ａ）〜（ｃ）に示す転写搬送路２０近傍の側面図を参照しながら説明する。
【００６７】
図１１に示すように、レジストローラ対１５から厚紙４０を送り出すと、厚紙４０の先端４０ａは、最上部２１ａの上流側の下ガイド２１の斜面に当接し、下ガイド２１の斜面に沿って上方へと移動する。
【００６８】
この移動によって、図１３（ａ）に示すように、後端ハネ防止部材６０の付勢部６３に厚紙４０の上面が下方から当接する。さらに、移動すると、図１３（ａ）〜図１３（ｂ）に示すように、先端４０ａが転写ニップ部１９へと送り込まれる。ここで、厚紙４０のコシが強いため、後端ハネ防止部材６０を上方へ押し上げ、後端ハネ防止部材６０は上方へ移動する（図中矢印Ｅ参照）。
【００６９】
そして、図１３（ｂ）に示すように、搬送されている間、厚紙４０は、バネ部材６１の弾性力と後端ハネ防止部材６０の自重によって下方に付勢されることになる。続いて、後端４０ｂがレジストニップ部１８から送り出されるが、図１３（ｃ）に示すように、下方に付勢されているため、後端４０ｂの上方へのハネが防止されることになる。
【００７０】
更に、厚紙４０が搬送され、後端４０ｂが、後端ハネ防止部材２３を通過すると、後端ハネ防止部材２３は自重により下方に移動し、図１１の状態となる。
【００７１】
このように、本実施の形態のプリンタでは、厚紙４０を通紙する時には、厚紙のコシにより、後端ハネ防止部材６０が上方に移動する構成となっているため、摩擦抵抗を低減し、画像縮みを抑制することが可能となる。一方、後端ハネ防止部材６０によって厚紙４０の後端４０ｂの跳ね上がりも低減されるため、転写ずれも抑制される。又、実施の形態１と同様に、普通紙が搬送される場合には、後端ハネ防止部材６０は自重により上方に回動されないが、摩擦力が大きくないため画像縮みが発生し難く、後端ハネ防止部材６０により後端の跳ね上がりも低減されるので、転写ずれも抑制される。
【００７２】
従って、本実施の形態のプリンタでは、紙のコシの強さにかかわらず、転写ずれ及び画像縮みの発生を抑制することが可能となる。
【００７３】
尚、本実施の形態では、後端ハネ防止部材６０の付勢部６３が直線Ｌよりも下方に配置されているが、上方に配置されていてもよい。ただし、上方に配置しすぎると、レジストニップ部１８から排出された後端のハネが大きくなり、転写ずれが発生する場合があるため、転写ずれが発生しない程度の位置にする必要がある。
【００７４】
又、本実施の形態３の後端ハネ防止部材６０及びバネ部材６１は、普通紙を用いた場合、後端ハネ防止部材６０の自重及びバネ部材６１の弾性力により上方に移動しないように構成されているが、普通紙を用いた場合にも回動又は移動する程度に後端ハネ防止部材６０の重さ及びバネ部材６１の弾性力に構成されていてもよい。但し、厚紙４０を搬送する際に、後端４０ｂの上方への跳ね上がりを抑えることが可能な程度に構成されることが必要である。
【００７５】
又、上記実施の形態１〜３の後端ハネ防止部材２３、５０、６０は、いずれも導電性部材の一例である金属で形成されているが、樹脂等で形成されていてもよい。但し、金属等の導電性部材で形成されていた方が、装置のフレームと電気的に接続することで、レジストローラ対１５で帯電した紙の除電を行うことが可能となるため、より好ましい。
【００７６】
又、上記実施の形態１〜３において、図３に示した現像ユニット８がプリンタから脱着可能に構成されている場合、後端ハネ防止部材２３、５０、６０が現像ユニット８の下面に回動又は移動出来ずに固定されていると、現像ユニット８を地面や台などに置いた際に、後端ハネ防止部材２３、５０、６０が変形する可能性があるが、本実施の形態では、上方に回動又は移動可能な構成となっているため、台などに置いたとしても後端ハネ防止部材２３、５０、６０が変形し難い。
【００７７】
また、上記実施の形態１〜３の後端ハネ防止部材２３、５０、６０は、転写搬送路２０の幅方向に渡って設けられているが、少なくとも幅方向の中央近傍に設けられていればよい。尚、中央近傍にのみ設ける場合には、中央付近のガイド板２４の側面にそれぞれ回転軸３１及び阻止部材３２、又は回転軸５３、又は突起６２を形成すればよい。
【００７８】
また、上記実施の形態１〜３の後端ハネ防止部材２３、５０、６０は、現像ユニット８に取り付けられているが、プリンタの構成が異なる場合には、適宜他の構成に取り付けられていても良い。
【００７９】
また、本実施の形態の画像形成装置として、モノクロのプリンタを例に挙げて説明したが、カラープリンタであっても良いし、複写機、ファクシミリ、又は複合機であってもよい。
【産業上の利用可能性】
【００８０】
本発明の画像形成装置は、転写ずれ、及び画像縮みの発生を抑制することが可能な効果を有し、複写機、ファクシミリ、及びプリンタ等として有用である。
【図面の簡単な説明】
【００８１】
【図１】本発明にかかる実施の形態１におけるプリンタ１の側面構成図
【図２】本発明にかかる実施の形態１におけるプリンタ１のレジストニップ部１８から転写ニップ部１９までの側面構成図
【図３】本発明にかかる実施の形態１におけるプリンタ１の現像ユニット８の外観斜視図
【図４】本発明にかかる実施の形態１における後端ハネ防止部材２３の外観図
【図５】（ａ）本発明にかかる実施の形態１における現像ユニット８の下面の模式図、（ｂ）本発明にかかる実施の形態１における現像ユニット８の下面に後端ハネ防止部材２３を取り付けた状態の模式図
【図６（ａ）】本発明にかかる実施の形態１におけるプリンタ１の転写搬送路２０を厚紙４０が通過する動作を説明するための図
【図６（ｂ）】本発明にかかる実施の形態１におけるプリンタ１の転写搬送路２０を厚紙４０が通過する動作を説明するための図
【図６（ｃ）】本発明にかかる実施の形態１におけるプリンタ１の転写搬送路２０を厚紙４０が通過する動作を説明するための図
【図６（ｄ）】本発明にかかる実施の形態１におけるプリンタ１の転写搬送路２０を厚紙４０が通過する動作を説明するための図
【図６（ｅ）】本発明にかかる実施の形態１におけるプリンタ１の転写搬送路２０を厚紙４０が通過する動作を説明するための図
【図７】本発明にかかる実施の形態１におけるプリンタ１の転写搬送路２０を紙４１が通過する動作を説明するための図
【図８】本発明にかかる実施の形態２における後端ハネ防止部材５０の外観図、
【図９】本発明にかかる実施の形態２におけるプリンタの転写搬送路２０近傍の側面模式図
【図１０】本発明にかかる実施の形態２におけるプリンタの転写搬送路２０を厚紙４０が通過する状態を説明するための図
【図１１】本発明にかかる実施の形態３におけるプリンタの転写搬送路２０近傍の側面模式図
【図１２】本発明にかかる実施の形態３における後端ハネ防止部材６０及びバネ部材６１の外観図
【図１３（ａ）】本発明にかかる実施の形態３におけるプリンタの転写搬送路２０を厚紙４０が通過する状態を説明するための図
【図１３（ｂ）】本発明にかかる実施の形態３におけるプリンタの転写搬送路２０を厚紙４０が通過する状態を説明するための図
【図１３（ｃ）】本発明にかかる実施の形態３におけるプリンタの転写搬送路２０を厚紙４０が通過する状態を説明するための図
【図１４】従来の画像形成装置の構成を示す図
【図１５】従来の画像形成装置の構成を示す図
【符号の説明】
【００８２】
１  プリンタ
１ａ  装置正面
１ｂ  装置裏面
２、３  給紙カセット
４  手差しトレイ
５  感光体ドラム
６  帯電ユニット
７  露光ユニット
８  現像ユニット
８ａ  現像ローラ
９  転写ローラ
１０  クリーニングユニット
１１  定着ユニット
１２  排出トレー
１３  搬送路
１４  両面搬送路
１５  レジストローラ対
１６、１７  レジストローラ
１８  レジストニップ部
１９  転写ニップ部
２０  転写搬送路
２１  下ガイド
２２  上ガイド
２３  後端ハネ防止部材
２４  ガイド板
【図１】
2010107636.tif 000003
【図２】
2010107636.tif 000004
【図３】
2010107636.tif 000005
【図４】
2010107636.tif 000006
【図５】
2010107636.tif 000007
【図６（ａ）】
2010107636.tif 000008
【図６（ｂ）】
2010107636.tif 000009
【図６（ｃ）】
2010107636.tif 000010
【図６（ｄ）】
2010107636.tif 000011
【図６（ｅ）】
2010107636.tif 000012
【図７】
2010107636.tif 000013
【図８】
2010107636.tif 000014
【図９】
2010107636.tif 000015
【図１０】
2010107636.tif 000016
【図１１】
2010107636.tif 000017
【図１２】
2010107636.tif 000018
【図１３（ａ）】
2010107636.tif 000019
【図１３（ｂ）】
2010107636.tif 000020
【図１３（ｃ）】
2010107636.tif 000021
【図１４】
2010107636.tif 000022
【図１５】
2010107636.tif 000023